(57)【要約】吸収性物品および吸収性物品の製造方法を提供すること。吸収性物品２０は内側吸収性コア材料２４とこれを包囲する孔開きフィルムとから作製される。吸収性物品は底層２８を有し、この底層は隆起部が吸収性物品の内側を向くように配向されている孔開きフィルムからなる。吸収性物品はまた頂層３２を有し、この頂層は隆起部が吸収性物品の外側を向くように配向された孔開きフィルムからなる。
2004529787.tif 000002
【特許請求の範囲】
【請求項１】
第１の主面と第２の主面を有する吸収性コア材料と、
底層と、
頂層とを備え、
前記底層は開放領域と複数の隆起部とを有する孔開きフィルムを含み、前記底層の隆起部は前記吸収性コア材料に対向し、かつ前記吸収性コアと接触し、
前記頂層は前記吸収性コアと接触し、かつ開放領域と複数の隆起部とを有する孔開きフィルムを含み、前記頂層の隆起部は前記吸収性コアから遠ざかる方向に向いている吸収性物品。
【請求項２】
前記吸収性コア材料はレーヨン、綿、木材パルプ、ポリエステル、ポリアミド、ポリオレフィン、それらの共重合体、およびそれらの組み合わせから選ばれる請求項１記載の物品。
【請求項３】
前記吸収性コア材料は二成分繊維を含む請求項１記載の物品。
【請求項４】
前記吸収性コア材料は接合されている請求項１記載の物品。
【請求項５】
前記底層の孔開きフィルムと前記頂層の孔開きフィルムはポリエチレン、メタロセン触媒重合ポリエチレン、ポリプロピレンおよびそれらの共重合体、ならびにエチレン−酢酸ビニル共重合体を含む請求項１記載の物品。
【請求項６】
前記底層の孔開きフィルムと前記頂層の孔開きフィルムはトレデガーＸ−６７９９、トレデガーＸ−６８４５、トレデガーＸ−６９２３、トレデガーＸ−６９４４およびトレデガーＸ−６８４４から選ばれる請求項１記載の物品。
【請求項７】
前記物品はおむつである請求項１記載の物品。
【請求項８】
前記物品は衛生パッドである請求項１記載の物品。
【請求項９】
前記物品は包帯である請求項１記載の物品。
【請求項１０】
前記物品の底層が親水性界面活性剤で処理されている請求項９記載の物品。
【請求項１１】
前記親水性界面活性剤はソルビトールのラウリン酸エステル類、酸化エチレンと縮合したソルビトール無水物類；酸化エチレン／酸化プロピレン共重合体類；オクチルフェノール・エトキシレート；ノニルフェノールエトキシレート類；およびエトキシル化アルコール類からなる群から選ばれる請求項１０記載の物品。
【請求項１２】
前記包帯の底層用の開放領域は前記孔開きフィルムの全面積の５％〜３０％である請求項９記載の物品。
【請求項１３】
前記包帯の底層用の開放領域は前記孔開きフィルムの全面積の１０％〜２５％である請求項９記載の物品。
【請求項１４】
前記底層はポリエチレンフォームである請求項９記載の物品。
【請求項１５】
前記ポリエチレンフォームの密度は０．００８ｇ／ｃｍ3〜０．１６０ｇ／ｃｍ3である請求項１４記載の物品。
【請求項１６】
前記全開放領域は全フォーム領域の１０％〜８０％である請求項１４記載の物品。
【請求項１７】
表面に隆起部を有する孔開きフィルムを隆起部を上向きにして置き、
吸収性コア材料の頂面に接着剤を適用し、
前記吸収性コア材料の頂面を前記孔開きフィルム上に置き、
表面に隆起部を有する第２の孔開きフィルムを隆起部を上向きにして置き、
前記第２の孔開きフィルムの頂面に接着剤を適用し、
前記吸収性コア材料の底面を前記第２の孔開きフィルムの頂面上に置くことにより、吸収性物品を形成する方法。
【請求項１８】
前記吸収性物品はおむつである請求項１７記載の方法。
【請求項１９】
前記吸収性物品は衛生パッドである請求項１７記載の方法。
【請求項２０】
前記吸収性物品は包帯である請求項１７記載の方法。
【請求項２１】
長さ、幅、および種綿を持つ基材と、
傷接触パッドであって、
前記傷接触パッドは前記基材の主面に固定され、前記傷接触パッドは第1の主面と第2の主面を有する吸収性コア材料を含む傷接触パッドと、
底層、および
頂層であって、
前記底層は開放領域と複数の隆起部とを有する孔開きフィルムを含み、前記底層の隆起部は前記吸収性コア材料に対向し、かつ前記吸収性コアと接触する底層と、
前記頂層は前記吸収性コアと接触し、かつ開放領域と複数の隆起部とを有する孔開きフィルムを含み、前記頂層の隆起部は前記吸収性コアから遠ざかる方向に向いている頂層と
を備える接着性包帯。
【請求項２２】
前記傷接触パッドの幅は前記基材の幅と実質的に同じであり、前記傷接触パッドの長さは前記基材の長さよりも短い請求項２１記載の接着性包帯。
【請求項２３】
前記傷接触パッドの長さは前記基材の長さよりも短く、前記傷接触パッドの幅は前記基材の幅よりも小さい請求項２１記載の接着性包帯。
【請求項２４】
前記基材は接着剤を適用され、前記傷接触パッドは前記基材に前記接着剤により固定され、前記傷接触パッドの境界線が前記基材の境界線の内側に存在し、それにより前記基材に適用された接着剤の一部が前記傷接触パッドの境界線の外側に存在する請求項２１記載の接着性包帯。
【発明の詳細な説明】
【技術分野】
【０００１】
本発明は吸収性物品に関する。この吸収性物品は、孔開きフィルムにより被覆された吸収性コア材料を含む。本発明の吸収性物品は衛生保護製品、おむつおよび包帯を始めとする種々の用途に有用である。
【背景技術】
【０００２】
生理用ナプキン、使い捨ておむつおよび包帯のような吸収性製品が経血、尿および傷口からの浸出液のような体液を吸収するのに使用される。これらの吸収性製品は一般に吸収性パッドまたはその吸収性物品が著しい量の体液を吸収することができることが必要である。ある場合には吸収性成分が吸収性材料自体の重量よりも大きい重量となる量の体液を吸収することが可能でなければならない。また、吸収性製品がそれを受けるように設計されている体液を吸収した後でさえも吸収性製品の人体に接触する表面が乾燥または比較的乾燥していることが望ましい。
【０００３】
米国特許第３，９２９，１３５号公報は吸収性材料および孔開きフィルムを含む吸収性構造を開示している。この吸収性材料は例えば粉末化木材パルプであってもよい。孔開きフィルムはこの吸収性構造用のトップシートとして役立つ。孔開きフィルムは一方の面が平滑であり、他方の面に隆起部を有する。孔開きフィルムの隆起部は吸収性材料に対向しており、それにより吸収性の構造を形成している。
【０００４】
米国特許第４，３４１，２１７号公報は使い捨て吸収性物品を開示している。この吸収性物品は粉末化木材パルプのような材料からなる吸収性コアを有する。孔開きフィルムがこの吸収性コアを包んでいる。孔開きフィルムは吸収性コアの両主面に対向する隆起部を有する。
【発明の開示】
【発明が解決しようとする課題】
【０００５】
上記特許の開示にもかかわらず、著しい量の液を吸収する能力を持ちながら、該液を吸収した後はユーザーの皮膚に対して乾いた感じを与える吸収性物品に対する需要が引き続き存在する。
【課題を解決するための手段】
【０００６】
本発明は第１の主面と第２の主面を有する内側吸収性コア材料と、底層と、頂層とを備える吸収性物品を提供する。吸収性物品の底層は開放領域と隆起部とを有する孔開きフィルムを含み、この底層はこれら隆起部が内側吸収性コア材料に対向するように配向されている。吸収性物品の頂層は開放領域と隆起部とを有する孔開きフィルムを含み、かつこの頂層はこれら隆起部が内側吸収性コア材料とは反対方向に向くように配向されている。
【発明の効果】
【０００７】
本発明の物品のデザインにより、頂層と底層を含む孔開きフィルムの隆起部の配向に基づいて、本発明の物品は顕著な量の液体を吸収する。本発明の物品の底層は吸収されるべき液体に対向している。液体は吸収性物品の底層を通って吸収性コア内に流入する。吸収性コアはこれら液体を吸収する。吸収性物品の頂層は、その隆起部の特異な配向の故に、吸収性物品内に液体が入るのを防止し易い。
【発明を実施するための最良の形態】
【０００８】
吸収性コアはレーヨン繊維、天然繊維、例えば、限定されないが綿繊維、および木材パルプ繊維；合成繊維、例えば、限定されないが、ポリエステル繊維、ポリアミド繊維、およびポリオレフィン繊維、並びにこれらの組合せを始めとする種々の材料から作製することができる。これらの繊維は二成分繊維であってもよい。例えば、これら二成分繊維はシースがあるポリマーを含み、コアが別のポリマーを含むシース−コア構造のものであってもよい。他の構造、例えば並列構造を有する二成分繊維を使用することもできる。
【０００９】
吸収性コアを含む繊維はそれらが交差し相互に接触する箇所で接着されているのが好ましい。この接着は、例えば、繊維を加熱して交差箇所でそれらを軟化・融合させることにより達成することができる。あるいはまた、繊維を、例えば噴霧方法またはグラビア印刷方法により適用することができる接着剤を使用して接着してもよい。典型的には、繊維は中実繊維である。しかしながら、繊維全体またはそれらの部分が中空繊維であってもよい。約３〜１０の範囲のデニールを持つ繊維を吸収性コアとして好適に使用することができる。吸収性コアの坪量は限定されないが、典型的には０．００３ｇ／ｃｍ2〜０．０１５ｇ／ｃｍ2の範囲内であってもよい。
【００１０】
好適な一実施の形態では、吸収性コアは熱空気を用いて融着した二成分繊維から作製した不織布を含むものであってもよい。これらの二成分繊維はシース材料がポリエチレンを含み、コア材料がポリエステルを含むシース−コア繊維である。これらのシース−コア繊維のデニールは約３である。不織布の坪量は約２ｏｚ／ｙｄ2である。
【００１１】
本発明の物品の頂層および底層は開放領域と複数の隆起部とを有する孔開きフィルムから作製される。そのような孔開きフィルムは米国特許第３，９２９，１３５号、同第４，３２４，２４６号、同第４，３４２，３１４号、同第４，４６３，０４５号、および同第５，００６，３９４号公報明細書に開示されている。これらの公報明細書の内容は本明細書において参照されることにより、本発明の一部をなす。
【００１２】
特に有用な孔開きフィルムとしてはトレデガー（Tredegar）社により供給されるビスポア（Vispore（登録商標））が挙げられる。このような孔開きフィルムとしては限定されないが、トレデガーＸ−６７９９、トレデガーＸ−６８４５、トレデガーＸ−６９２３、トレデガーＸ６９４４、およびトレデガーＸ−６８４４の商品名で市販されているものが挙げられる。孔開きフィルムは隆起部の存在することにより、平滑な雌側と、若干平滑さが少ない雄側とを有する。孔開きフィルムは限定されないが、ポリエチレン、メタロセン触媒重合ポリエチレン、ポリプロピレンおよびそれらの共重合体、並びにエチレン−酢酸ビニル共重合体を始めとする任意のポリマー材料から作製することができる。一つのタイプの孔開きフィルムを頂層に使用し、他のタイプの孔開きフィルムを底層に使用することもできる。しかしながら、通常は、同じ孔開きフィルムを底層および頂層の両方に使用する。
【００１３】
本発明の吸収性物品の底層と頂層を含む孔開きフィルムの開放領域は孔により占められている領域として定義される。本発明の吸収性物品の頂層と底層の開放領域は孔開きフィルムの全領域の５％〜３０％、好ましくは１０％〜２５％である。
【００１４】
本発明の吸収性物品底層は親水性界面活性剤で処理されていてもよく、親水性界面活性剤としては限定されないが、ソルビトールのラウリン酸エステル類、酸化エチレンと縮合したソルビトール無水物類、例えばポリソルベート２０、ポリソルベート４０、ポリソルベート６０およびポリソルベート８０；酸化エチレン／酸化プロピレン共重合体類；オクチルフェノール・エトキシレート；ノニルフェノールエトキシレート；およびエトキシル化アルコール類が挙げられる。「処理された」という用語は底層がこの底層を作製するポリマー樹脂を製造するのに用いられる重合工程の間に親水性界面活性剤を既に取り込んでいるか、または親水性界面活性剤が孔開きフィルムが作製される工程の間にポリマーに取り込まれているか、あるいは底層が作製された後にこの底層が親水性界面活性剤を塗布されることを意味する。
【００１５】
所望により、孔開きフィルムは抗菌有効量のトリクロサン（Triclosan）等の抗菌剤を含んでいてもよい。孔開きフィルムは平滑な面と隆起部を有する面とを含む。本発明の吸収性物品底層は孔開きフィルムの隆起部が接着された吸収性コアに対向するように配向されている。本発明の吸収性物品の頂層は孔開きフィルムの隆起部が吸収性物品の外側に対向するように配向されている。
【００１６】
本発明の吸収性物品の底層および頂層は当技術において知られている手段により吸収性コア材料に固定されていてもよい。例えば、適当な接着剤を吸収性コア材料の頂層に適用してからこの頂層を吸収性コアに適用してもよい。吸収性コア材料の底層に接着剤を塗布し、この底層を吸収性コアの底部に適用してもよい。当技術において知られている他の手段、例えば超音波接着も使用することができる。
【００１７】
接着剤は溶液重合法や分散重合法を始めとする任意の重合法により調製することができる。接着剤はホットメルト接着剤であってもよい。好適な接着剤の例としては限定されないが、スチレンブロック共重合体と増粘樹脂とを主成分とするもの、例えばエイチビー−フラー社（HB-Fuller Co.）（米国ミネソタ州セントポール市）製ＨＬ−１４９１、エイティーオー−フィンドレー（ATO-Findley）（米国ウィスコンシン州ワワタウサ市）製Ｈ−２５４３、およびナショナル・スターチ＆ケミカル社（米国ニュージャージー州ブリッジウォーター市）製３４−５５３４が挙げられる。エチレン−酢酸ビニル共重合体を始めとするエチレン共重合体類も有用である。好適な接着剤としては、アクリルを主成分とする接着剤、デキストリンを主成分とする接着剤、およびウレタンを主成分とする接着剤、並びに天然および合成エラストマー類も挙げられる。また、接着剤としてはアモルファスポリプロピレンを始めとするアモルファスポリオレフィン類、例えばエイチビー−フラー社製ＨＬ−１３０８またはハンツマン社（米国テキサス州オデッサ市）製ＲＴ２３７３が挙げられる。接着剤にはクラトン（Kraton（登録商標））合成ゴム等または天然ゴムを増粘剤および酸化防止加工助剤とともに配合することもできる。
【００１８】
接着剤は溶融状態で塗布、噴霧またはスロットダイ塗布することができる。噴霧はコントロール塗布、コントロール織り、コントロール繊維化、メルトブロー法、フレキソ塗布、スクリーン印刷、その他の不連続塗布方法により適用することができる。
【００１９】
本発明は上記の材料を用いる方法も提供する。この方法は表面に隆起部を有する孔開きフィルムを隆起部を上向きにして置き、吸収性コア材料の頂面に接着剤を適用し、この吸収性コア材料の頂面を上記孔開きフィルム上に置き、表面に隆起部を有する第２の孔開きフィルムを隆起部を上向きにして置き、この第２の孔開きフィルムの頂面に接着剤を適用し、上記吸収性コア材料の底面を上記第２の孔開きフィルムの頂面上におくことにより、吸収性物品を形成する。
【００２０】
本発明の吸収性物品は、限定されないが円形、卵形、矩形、正方形、三角形等を始めとする任意の所望の形状に作製することができる。本発明の吸収性物品の大きさは所望の用途に応じて変わる。
【００２１】
本発明の吸収性物品は、限定されないが包帯、衛生保護パッド、おむつ、およびかゆみ止め剤、ざ瘡処置剤、モイスチャライザー等を担持および／または調合する器具を始めとする種々の製品として、またはそれらの部品として使用することができる。包帯については、本発明の吸収性物品は正方形、矩形、円形、卵形または三角形の形状をしていてもよい。包帯の大きさは包帯の形および包帯で覆われるべき傷の大きさによって決まる。一般に、正方形の包帯の大きさは５ｃｍ×５ｃｍ〜１５ｃｍ×１５ｃｍ、好ましくは７．５ｃｍ×７．５ｃｍ〜１２．５ｃｍ×１２．５ｃｍである。矩形の包帯の長さは５ｃｍ〜１５ｃｍ、好ましくは７．５ｃｍ〜１２．５ｃｍの範囲内である。矩形の包帯の幅は０．５ｃｍ〜５ｃｍ、好ましくは１ｃｍ〜３ｃｍである。円形の包帯は外径が５ｃｍ〜２０ｃｍ、好ましくは７．５ｃｍ〜１７．５ｃｍ、さらに好ましくは１０ｃｍ〜１５ｃｍである。
【００２２】
本発明の吸収性物品の厚さは用途によって決まるが、一般には０．２５ｍｍ〜５ｍｍ、好ましくは１ｍｍ〜３ｍｍ、さらに好ましくは１ｍｍ〜２ｍｍである。
【００２３】
本発明の吸収性物品が包帯の傷接触パッドとして用いられるときは、吸収性物品の底層は使用者の皮膚に向けて配向され、傷剥離層として働くが、その意味はこの層が包帯を適用した傷に貼り付かないことである。底層は上記のものと同じ孔開きフィルムからなる。包帯の頂層も上記の孔開きフィルムからなる。
【００２４】
接着性包帯の傷接触パッドとして用いられる場合、吸収性物品の頂層の開放領域および吸収性物品の底層の開放領域は同じでも異なっていてもよい。傷に対する包帯の接触面積を減らすために、吸収性物品の底層の開放領域は孔開きフィルムの全面積の５％〜３０％、好ましくは１０％〜２５％であってもよい。傷に対する接触面積が減ると傷剥離力が減る。この結果、傷の再損傷の発生率が低くなる。吸収性物品の頂層は包帯の底層よりも開放面積が小さくてもよい。開放面積が減少した頂層を使用すると内側吸収性コアからの液体の不所望の漏れが防止される。
【００２５】
吸収性包帯の一実施の形態において、本発明の吸収性物品は、例えば接着剤により任意の密度のポリエチレンフォームまたは種々の密度のポリエチレンの組み合せを含む基材に固定される。このフォームの密度は０．００８ｇ／ｃｍ3〜０．１６０ｇ／ｃｍ3の範囲内であってもよい。このフォームは穿孔されたものでも有孔でもよい。穿孔または孔の大きさは０．０１ｍｍ〜５ｍｍの範囲内であってもよい。全開放面積は全フォーム面積の１０％〜８０％の範囲内であってもよい。穿孔または孔は押出、機械的、熱−ピンニングまたは超音波穿孔により作製することができる。包帯の厚さは１ｍｍ〜３ｍｍの範囲内であってもよい。
【００２６】
添付図面を参照しながら、本発明の教示に従う吸収性物品の第１の実施の形態を示す。図１および図２を参照すると、吸収性物品２０は吸収性コア２４、底層２８および頂層３２を含む。吸収性コア２４は第１の主面または上面２５および第２の主面または下面２６を有する。頂層３２は、例えば接着剤により、吸収性コアの上面２５に固定されているが、底層２８は、例えば接着剤により、吸収性コアの下面２６に固定されている。当業者は理解するように、頂層３２および底層２８は接着剤以外の手段、例えば熱シールによって吸収性コアに固定することができる。接着剤を使用する場合は、接着剤は不連続式に、例えば噴霧、スクリーン印刷、グラビア印刷等により適用されるのが好ましい。同様に、熱シールは不連続式に行うのが好ましい。
【００２７】
吸収性コア２４は任意の所望の厚さの単一の繊維性ウェブを含むものであってもよい。あるいはまた、吸収性コア２４は２以上のそのようなウェブを含むものであってもよい。図２から判るように、吸収性コア２４は３つの繊維性ウェブ２４ａ，２４ｂおよび２４ｃを含む。
【００２８】
底層２８は孔開きプラスチックフィルムを含むものであるのが好ましく、このプラスチックフィルムは図３から判るように、それぞれフィルムの面Ｐのベース３８と、それから離隔した頂点４０とを持つ複数の隆起部３７を含む。頂点４０は頂点開口部４２を有する。ベース３８はベース開口部４４を有する。ベース開口部４４は頂点開口部４２よりも大きい。底層２８は、吸収性コア２４の下面２６に対して、その隆起部３７の頂点４０が吸収性コアの下面と接触し、かつその隆起部３７のベース３８が吸収性コアの下面から離隔するように、配置される。
【００２９】
吸収性物品２０の頂層３２は底層２８に用いられたものと同じ孔開きプラスチックフィルムを含むものであるのが好ましい。しかしながら、吸収性コアに対する頂層３２の向きが底層２８の向きと異なっているのが好ましい。具体的には、図３を参照すると判るように、頂層３２は吸収性コア２４の上面２５に対して、その隆起部３７の頂点４０が吸収性コアの上面から離隔するように、かつその隆起部のベース３８が吸収性コアの上面に隣接して配されるように配置される。
【００３０】
頂層３２と底層２８はそれぞれ真の厚さ（caliper）Ｃ１と見かけの厚さＣ２とを持つ。真の厚さＣ１は隆起部３７が形成される前の材料の厚さである。見かけの厚さＣ２は隆起部３７を形成した後の「使用時の」厚さであり、隆起部３７のベース３８から頂点４０へ測定される。
【００３１】
図４を参照すると、本発明の吸収性物品を傷接触パッドとして使用している接着性包帯の斜視図が示されている。接着性包帯５０は基材５２を含み、この基材５２は例えば、ポリビニルクロライド、ポリエチレン、ポリウレタン等を含むものであってもよいフォームまたは薄いプラスチックフィルムを含む。基材５２の一つの主面５３は接着剤５４を適用されている（図４では点描されている）。接着剤５４は当技術においてよく知られかつ用いられている接着剤の任意のものであってもよく、任意のよく知られた接着剤適用方法を用いて主面５３に適用することができる。
【００３２】
接着性包帯５０は傷接触パッド５８をさらに、この傷接触パッド５８は接着剤５４により基材５２に公知の方法で固定される。本実施の形態では、傷接触パッド５８は幅が基材５２と同じ大きさであるが、長さは基材よりも短い。傷接触パッド５８は当技術において知られているように基材５２の両端の中央に配置されている。
【００３３】
傷接触パッド５８は図１に示される上述の吸収性物品の３層構造を有する。傷接触パッド５８は基材５２の接着剤塗布面に吸収性物品２０の頂層３２（図３参照）の隆起部３７が接着剤５４と接触するように配向されるのが好ましい。その結果、面Ｐ（図３参照）にある底層２８の表面が接着剤塗布面とは反対に向き、使用時に包帯の使用者が保護および／または処置を望む傷と接触する。
【００３４】
次に、図５および図６を参照すると、本発明に従う接着性包帯の他の実施の形態が示されている。接着性包帯７０は接着剤７４が適用される一つの主面７３に基材７２を含むものである。包帯７０はさらに傷接触パッド７８を含む。この実施の形態では、基材７２は前述した種類の孔開きフィルムを含む。すなわち、孔開きフィルムは開放領域と隆起部３７を有する。傷接触パッド７８は下の接着剤７４により基材７２に固定されている。傷接触パッド７８は繊維層８０と被覆層８２とを含む。傷接触パッド７８は基材７２上でその繊維層８０が接着剤７４と接触するように配向されている。その結果、被覆層８２は接着剤とは反対に向き、最終的に使用されるときには、包帯の使用者が保護または処置を望む傷Ｗに接触する。
【００３５】
被覆層８２は基材７２の場合と同様に、開放領域と複数の隆起部３７とを有する孔開きフィルムを含む。図６に示すように、被覆層８２は繊維層８０上に、その隆起部３７が繊維層８０に対向し、これと接触するように配向されている。
【００３６】
下記の実施例は本発明の吸収性物品を実証するためのものである。これらの実施例は本発明の範囲を限定するものではない。
【実施例１】
【００３７】
実施例１−吸収性パッドの調製
トレデガーＸ−６７９９孔開きフィルムを巻き戻し、２０ｃｍ×２７ｃｍ角に切断し、隆起部を上向きにして配置した。フィンドレーＨＭ３２１０接着剤をＰＧＩ  ＦＢ−０３５Ｃ不織布（接合二成分繊維）の２０ｃｍ×２７ｃｍ片の全頂面に適用した。この不織布パッドを、接着剤面を下にして孔開きフィルムの情報に突出する隆起部の頂部に置いた。これを包帯パッド源として用いた。包帯パッド源を切断して２．１ｃｍ×１．２ｃｍ包帯パッドにした。第２のトレデガーＸ−６７９９孔開きフィルムを巻き戻し、切断して７．６ｃｍ×１．９ｃｍストリップにした。これらのストリップを、隆起部を下向きに配置した。フィンドレー３２１０接着剤をこれらストリップの情報に向いた面に適用した。上述のようにして調製された包帯パッドを不織布面を下にしてストリップの中央に配置した。
トレデガーＸ−６７９９の代わりに種々の孔開きフィルムを用いて上記工程を繰り返した。トレデガーＸ−６８４５、トレデガーＸ−６９２３、トレデガーＸ−６９４４、およびトレデガーＸ−６８４４を用いてサンプルを調製した。
【実施例２】
【００３８】
実施例２−傷剥離試験
包帯については、傷に接触する包帯の層が傷に貼り付かないことが重要である。したがって、傷剥離試験を用いて、傷に貼り付かないことに関して包帯の質を決定する。実施例１で調製した吸収性パッドを試験紙、傷剥離特性がよいことが知られている市販製品と比較した。試験を雌ヨークシャー豚で行った。試験前日、この動物を鎮静させ、電気バリカンを用いて背面および側面から毛を除去した。脱毛ローションをその領域に適用した。１０分後、ローションを金属製ヘラで除去した。この領域を刺激性の少ない石鹸で洗浄し、消毒綿で拭き取り乾燥させた。翌日、この動物を鎮静させ、ブラウン・ダーマトーム（Brown Dermatome）セットを用いて、１列１２個の２．５ｃｍ×２．５ｃｍの、深さ０．０８ｃｍの浅い傷を各脇腹に脊柱に平行に創出した。伸縮性包帯を各包帯の上に適用して各包帯の移動または除去を防止した。
【００３９】
約２４時間後、この動物を鎮静させた。ユニットの底部ポストに５ｃｍの紐でクロマトグラフィー・クリップを取り付けたシャチヨン・ディジタル・フォース・ゲージ・モデル（Chatillon Digital Force Gauge Model）ＤＦＧＳ２を用いて包帯の除去力を測定し、これらの伸縮性包帯を動物から除去した。包帯の接着剤部分を切り取り、動物から除去し、パッドだけを傷上に残した。クロマトグラフィー・クリップを各包帯の上下端に取り付け、フォース・ゲージをゼロにした。紐が伸びきるまでゲージを傷の表面の平面に垂直に持ち上げた。各包帯を除去するのに必要な力（平均除去力）を（グラムで）記録した。結果を表１に示す。
【表１】
2004529787.tif 000003
【００４０】
上記データは本発明の吸収性物品が包帯として有用であり、良好な傷剥離特性を持つことが知られている市販の製品よりも改善された傷剥離特性を持つことを実証している。
【実施例３】
【００４１】
実施例３−吸収性試験
本発明の吸収性物品の可能性のある用途はすべてこの物品が高い液体吸収性を持つことを要求している。したがって、実施例１で調製した吸収性パッドについて吸収性試験を行って物品が液体を吸収する速度を決定し、かつ圧力を適用した時に物品に保持される液体の量（再湿潤性として知られる）を決定した。この試験を、ＩＤＡＮＡ１５０．１−９０液体浸透（ストライク−スルー）時間試験の変法を用いて行った。得られた結果を表２に示す。
【表２】
2004529787.tif 000004
【００４２】
上記データは、本発明の吸収性物品が、良好な液体吸収性を持つことが知られている市販製品よりも多く液体を吸収するので、高い液体吸収性が要求される用途において有用であることを実証している。
【実施例４】
【００４３】
実施例４−水分蒸発試験
吸収性物品は高い液体吸収性を有することが要求されるが、それらは高い水分蒸発速度を持つことも必要である。水分蒸発速度が高いと液体が吸収性物品の上面から大気中に通過することが可能になる。したがって、実施例１で調製された吸収性物品および市販のパッドについて水分蒸発速度試験を行って吸収性物品から大気に液体が通過する速度を決定した。この試験は吸収性パッドにおける水の損失（重量）を測定し、（３７℃における）損失速度計算をすることにより行った。
【００４４】
接着包帯付き顕微鏡用ガラススライドを計量し（Ｗ１）、注射器を用いて脱イオン水約１００ｍｇをパッドに添加し、秤量した（Ｗ２）。この包帯の向きを変えてパッドがガラスに向くようにし、パッド領域の両端が軽いテープ、例えばスコッチ（Scotch（登録商標））テープでシールした。スライド、包帯、水およびテープを秤量した（Ｗ３）。これをＴ  ０点とする。このサンプルを３７℃のオーブン内に置き、重量を特定の間隔で変化が観られなくなるまで再秤量した。この時間テーブルは０、５、１０、２０、３０、６０および９０分であった。
【００４５】
計算：  Ｗ２−Ｗ１が添加された水の量の測定値であり、Ｔ  ０分における計算の基礎（１００％）として使用される。Ｔ  ０分におけるＷ３とＴ  ｘ分におけるＷ３との間の差が試験時間の間の水分損失をｍｇで表した測定値である。結果をｍｇ損失から転換した後、％損失で表す。得られた結果を表３に示す。
【表３】
2004529787.tif 000005
【００４６】
上記データは本発明の吸収性物品が良好な水分蒸発特性を持つことを知られている市販製品よりも速い素文蒸発速度を与えることを実証している。したがって、本発明の吸収性物品は使用者の皮膚に対して乾いた表面を提供する点で有用である。
【産業上の利用可能性】
【００４７】
本発明により、著しい量の液を吸収する能力を持ちながら、該液を吸収した後はユーザーの皮膚に対して乾いた感じを与える吸収性物品が提供される。本発明の吸収性物品は衛生保護製品、おむつおよび包帯を始めとする種々の用途に有用である。
【図面の簡単な説明】
【００４８】
【図１】本発明の教示に従う吸収性物品の一実施の形態の斜視図である。
【図２】図１の２−２線に沿う図１の吸収性物品の断面図である。
【図３】図１の３−３線に沿う図２の吸収性物品を大きく拡大した断面図である。
【図４】本発明の吸収性物品を傷接触パッドとして使用する接着性包帯の斜視図である。
【図５】本発明の教示に従う吸収性物品の第２の実施の形態の概略斜視図である。
【図６】図５の６−６線に沿う断面図である。
【符号の説明】
【００４９】
２０  吸収性物品
２４  吸収性コア
２４ａ，２４ｂ，２４ｃ  繊維性ウェブ
２５  第１の主面または上面
２６  第２の主面または下面
２８  底層
３２  頂層
３７  隆起
３８  ベース
４０  頂点
４２  頂点開口
４４  ベース開口
５０  接着性包帯
５２  基材
５３  主面
５４  接着剤
５８  傷接触パッド
７０  接着性包帯
７２  基材
７３  主面
７４  接着剤
７８  傷接触パッド
８０  繊維層
８２  被覆層
Ｃ１  真の厚さ（caliper）
Ｃ２  見かけの厚さ
Ｐ  面
Ｗ  傷
【国際公開パンフレット】
2004529787.tif 000006
2004529787.tif 000007
2004529787.tif 000008
2004529787.tif 000009
2004529787.tif 000010
2004529787.tif 000011
2004529787.tif 000012
2004529787.tif 000013
2004529787.tif 000014
2004529787.tif 000015
2004529787.tif 000016
2004529787.tif 000017
2004529787.tif 000018
2004529787.tif 000019
2004529787.tif 000020
2004529787.tif 000021
2004529787.tif 000022
2004529787.tif 000023
2004529787.tif 000024
2004529787.tif 000025
2004529787.tif 000026
2004529787.tif 000027
2004529787.tif 000028
2004529787.tif 000029
2004529787.tif 000030
2004529787.tif 000031
2004529787.tif 000032
【国際公開パンフレット（コレクトバージョン）】
2004529787.tif 000033
2004529787.tif 000034
2004529787.tif 000035
2004529787.tif 000036
2004529787.tif 000037
2004529787.tif 000038
2004529787.tif 000039
2004529787.tif 000040
2004529787.tif 000041
2004529787.tif 000042
2004529787.tif 000043
2004529787.tif 000044
2004529787.tif 000045
2004529787.tif 000046
2004529787.tif 000047
2004529787.tif 000048
2004529787.tif 000049
2004529787.tif 000050
2004529787.tif 000051
2004529787.tif 000052
2004529787.tif 000053
2004529787.tif 000054
2004529787.tif 000055
2004529787.tif 000056
2004529787.tif 000057
2004529787.tif 000058
2004529787.tif 000059
2004529787.tif 000060
【国際調査報告】
2004529787.tif 000061
2004529787.tif 000062
2004529787.tif 000063
2004529787.tif 000064